【事件の表示】
　上記当事者間の登録第１８０３２１１号商標の登録取消審判事件について、次のとおり審決する。
【結　論】
　登録第１８０３２１１号商標の指定商品中「化粧用具」については、その登録は取り消す。
　審判費用は、被請求人の負担とする。
【理　由】
１　本件商標
　本件登録第１８０３２１１号商標（以下「本件商標」という。）は、別掲に表示したとおりの構成よりなり、昭和５８年４月２７日に登録出願、第２１類「装身具、ボタン類、かばん類、袋物、宝玉およびその模造品、造花、化粧用具」を指定商品として、昭和６０年８月２９日に設定登録、平成７年９月２８日に商標権存続期間の更新登録がされているものである。
　
２　請求人の主張の要点
　請求人は、結論同旨の審決を求め、その理由及び被請求人の答弁に対する弁駁を要旨次のように述べ、証拠方法として甲第１号証ないし同第６号証を提出した。
（１）請求の理由　
　請求人の調査したところによると、本件商標は、その指定商品「化粧用具」について、本件商標の商標権者である株式会社美巧によって継続して３年以上日本国内において使用されておらず、現在も使用されている事実は見いだせない。加えて、商標登録原簿上において、通常使用権及び専用使用権等の設定の登録がなされておらず、使用権者が使用していることも考えられない（甲第２号証）。
　したがって、請求人は、商標法第５０条第１項の規定に基づき、本件商標の登録を「旧第２１類　化粧用具」について取り消すとの審決を求める。
（２）弁駁の理由
　平成１５年１２月２６日付けの本件審判事件答弁書において、被請求人が立証するところは、被請求人が本審判請求の登録前３年以内に、本件商標を商品「化粧用具」、即ち「洗面用具入れ」について日本国内で使用しているとの点である。被請求人は、本件商標を「洗面用具入れ」に使用している証拠として乙第２号証ないし同第７号証を提出している。
　しかし、これらに明示されている商品は「かばん類、袋物（現行の類似群コード２１Ｃ０１）」の範ちゅうに属する商品であり、商標法上の「洗面用具入れ（同２１Ｆ０１）」には該当しない。よって、被請求人は、「化粧用具」に係る本件商標の使用を立証していないから、商標法第５０条第２項により、「旧第２１類　化粧用具」に係る本件商標の登録の取り消しを免れないものである。
　
３　被請求人の答弁の要点
　被請求人は、本件審判請求は成り立たない、審判費用は請求人の負担とする、との審決を求める、と答弁し、その理由を要旨次のように述べ、証拠方法として乙第１号証ないし同第１１号証を提出した。
（１）本件商標は、商標権利者たる被請求人により、本件審判の請求の登録前３年以内に日本国内において、第２１類「化粧用具」に属する商品「洗面用具入れ」に使用されているものであるから、取り消されるべきではない。
　被請求人は、昭和４４年６月４日に設立登記された株式会社であり、東京都台東区浅草四丁目２番６号に本店を置き、平成１２年１０月６日設置により、東京都中央区日本橋小伝馬町１３番７号に支店を登記したものであり、実質的な商業活動は東京都中央区日本橋小伝馬町１３番７号の支店所在地において営むものである。また、設立登記以来「各種袋物の製造ならびに販売」を主たる業務としてきたものである（乙第１号証）。
　そして、少なくとも平成１５年８月頃より、商品「洗面用具入れ」の製造及び販売をし、現在に到っているものである。
（２）被請求人が商品「洗面用具入れ」に使用する商標の構成態様は、後述する乙６号証及び同第７号証に明示されるとおり、本件商標の構成態様と同一といえるものである。そして、本件審判請求の登録日から遡ること３年以内である平成１５年８月頃から現在に到るまで、本件商標を表示した商品「洗面用具入れ」の現物を、同じく本件商標を表示したパンフレットとともに、販売を目的として支店ショールームに展示している。
　この事実を立証するために、被請求人の支店におけるショールームの写真（乙第２号証ないし同第５号証）を提出する。
　該乙第２号証ないし同第５号証によれば、商品「洗面用具入れ」の現物と、商品のパンフレットが同時に撮影されているものであり、商品のパンフレットには本件商標が表示されているものである。
（３）次に、本件審判請求の登録日から遡ること３年以内である平成１５年８月頃から現在に到るまで、商品「洗面用具入れ」の販売を目的として作成した本件商標を表示した商品のパンフレットを頒布した事実がある。
　この事実を立証するために、被請求人が作成した商品のパンフレット（乙第６号証及び同第７号証）を提出する。
　該乙第６号証及び同第７号証によれば、商品「洗面用具入れ」と、本件商標が明瞭に表示されているものである。
（４）また、本件審判請求の登録日から遡ること３年以内である２００３年（平成１５年）９月２日に、本件商標を使用した商品「洗面用具入れ」を「ポーチ」と称して販売した事実がある。
　この事実を立証するために、被請求人が当該商品の販売にあたって発行した納品書の写し（乙第８号証）を提出する。
　この納品書の内容から明らかなように、該納品書は、被請求人が発行したものであり、同納品書中の商品コード欄及び品名欄に記載された「１８２９−２０１　ポーチ」、「１８２９−２０２　ポーチ」、「１８２９−２０５　ポーチ」は、商品のパンフレット（乙第６号証）に対応するものであると共に、納品書及びパンフレットに「ポーチ」とあるのは、いずれも商品「洗面用具入れ」を表しているものであり、商品「洗面用具入れ」の販売にあたってのイメージを考慮した営業戦略として「ポーチ」と称しているものである。
　これら商品のパンフレットの記載内容からして、２００３年（平成１５年）９月２日に、本件商標が、商品「洗面用具入れ」について使用されている事実は明白である。
（５）さらに、本件審判請求の登録日から遡ること３年以内である２００３年（平成１５年）９月２５日に、本件商標を使用した商品「洗面用具入れ」を販売した事実がある。
　この事実を立証するために、被請求人が当該商品の販売にあたって発行した納品書の写し（乙第９号証）を提出する。
　この納品書の内容から明らかなように、該納品書は、被請求人が発行したものであり、同納品書中の商品コード欄及び品名欄に記載された「１８３０−２０１　ポーチ」、「１８３０−２０２　ポーチ」、「１８３０−２０３　ポーチ」、「１８３０−２０４　ポーチ」、「１８３０−２０５　ポーチ」は、商品のパンフレット（乙第７号証）に対応するものであると共に、納品書及びパンフレットに「ポーチ」とあるのは、いずれも商品「洗面用具入れ」を表しているものであり、上述のように営業戦略上「ポーチ」と称しているものである。
　これら商品のパンフレットの記載内容からして、２００３年（平成１５年）９月２５日に、本件商標が、商品「洗面用具入れ」について使用されている事実は明白である。
（６）さらにまた、本件審判請求の登録日から遡ること３年以内である２００３年（平成１５年）１０月１８日に、本件商標を使用した商品「洗面用具入れ」を販売した事実がある。
　この事実を立証するために、被請求人が当該商品の販売にあたって発行した納品書の写し（乙第１０号証）を提出する。
　この納品書の内容から明らかなように、該納品書は、被請求人が発行したものであり、同納品書中の商品コード欄及び品名欄に記載された「１８２９−２０１　ポーチ」、「１８２９−２０２　ポーチ」、「１８２９−２０３　ポーチ」、「１８２９−２０４　ポーチ」、「１８２９−２０５　ポーチ」、「１８２９−２０６　ポーチ」は、商品のパンフレット（乙第６号証）に対応するものであると共に、納品書及びパンフレットに「ポーチ」とあるのは、いずれも商品「洗面用具入れ」を表しているものであり、上述のように営業戦略上「ポーチ」と称しているものである。
　これら商品のパンフレットの記載内容からして、２００３年（平成１５年）１０月１８日に、本件商標が、商品「洗面用具入れ」について使用されている事実は明白である。
（７）加えて、本件審判請求の登録日から遡ること３年以内である２００３年（平成１５年）１０月２０日に、本件商標を使用した商品「洗面用具入れ」を販売した事実がある。
　この事実を立証するために、被請求人が当該商品の販売にあたって発行した納品書の写し（乙第１１号証）を提出する。
　この納品書の内容から明らかなように、該納品書は、被請求人が発行したものであり、同納品書中の商品コード欄及び品名欄に記載された「１８３０−２０１　ポーチ」、「１８３０−２０２　ポーチ」、「１８３０−２０３　ポーチ」、「１８３０−２０４　ポーチ」、「１８３０−２０５　ポーチは、商品のパンフレット（乙第７号証）に対応するものであると共に、納品書及びパンフレットに「ポーチ」とあるのは、いずれも商品「洗面用具入れ」を表しているものであり、上述のように営業戦略上「ポーチ」と称しているものである。
　これら商品のパンフレットの記載内容からして、２００３年（平成１５年）１０月２０日に、本件商標が、商品「洗面用具入れ」について使用されている事実は明白である。
（８）以上述べたように、本件商標の指定商品中、商品「洗面用具入れ」について、本件商標が、少なくとも平成１５年９月と、平成１５年１０月に、被請求人である株式会社美巧により、その支店の所在地である東京都中央区日本橋小伝馬町１３番７号において、適法に使用された事実が存すること明白である。
　このように、被請求人が、本件商標を商品「洗面用具入れ」について、本件審判請求の登録前３年以内に日本国内で使用していることを証明できる以上、請求人の主張が成り立たないこと明らかである。
　
４　当審の判断
（１）被請求人が提出した乙第２号証ないし同第１１号証についてみると、
乙第２号証ないし同第５号証は、いずれもショールームに商品を展示した状態の写真であり、当該写真には、後出のパンフレットとともに後出の「ポーチ」と同一と思しき商品が写されている。
　乙第６号証及び同第７号証は、商品のパンフレットであり、当該パンフレットには、いずれも、その右下部分に本件商標と認められる標章が表示されており、両パンフレットには、「ポーチ」の表示とともに、商品現物の図（写真）が掲載されている。そして、掲載商品のそれぞれに対応して、「１８２９−２０１」、「１８２９−２０２」、「１８２９−２０３」、「１８２９−２０４」、「１８２９−２０５」、「１８２９−２０６」「１８３０−２０１」、「１８３０−２０２」、「１８３０−２０３」、「１８３０−２０４」、「１８３０−２０５」といった商品番号と理解される表示が認められる。
　さらに、乙第８号証ないし同第１１号証は、いずれも被請求人の納品書控と認められるものであるところ、当該納品書控には、それぞれ「０３年０９月０２日」「０３年０９月２５日」「０３年１０月１８日」「０３年１０月２０日」の記載があり、いずれにも、品名「ポーチ」、商品コードのほか数量・単価金額等の記載があり、当該商品コードは前記商品のパンフレットにあった数字（商品番号）と共通したものが記載されている。
　これらによれば、納品書控記載の時期に上記商品「ポーチ」の取引（納品）がなされたことを推認し得るものである。
（２）ところで、本件商標が登録出願及び設定登録された当時の商標法上の商品の区分第２１類において、「洗面用具入れ」は、「化粧用具」の範ちゅうに属すべき商品として例示されていたものであり（平成３年商標法改正前の商標法施行規則別表参照）、歯ブラシ、タオル、ヒゲそり、せっけん及び化粧品等をいれるケースで、内部にカミソリ入れ、せっけん入れや化粧水を入れる附属品がセットされていたり、自由に出し入れのできるものなどをいうと解される。他方、ポーチは化粧品や小物を入れる小さな袋を指称するものであり（小学館発行「大辞泉」参照）、前記商品の区分における「袋物」の範ちゅうに属する商品と解されるものであって、「洗面用具入れ」などの「化粧用具」とは異なる商品として分類されていたものと認められる。
（３）上記によれば、本件商標を使用しているとして乙第２号証ないし同第１１号証に示された商品は、取引上、袋物の一の「ポーチ」として理解されるとするのが自然であり、また、パンフレットに掲載された商品及び「ポーチ」の表示にも拘わらず、当該商品が「洗面用具入れ」に該当する商品であるとすべき記載等も見出せない。
　したがって、前記の使用に係る商品が、化粧用具の一である「洗面用具入れ」であると認めることはできない。
（４）被請求人は、納品書及びパンフレットに「ポーチ」とあるのは、いずれも商品「洗面用具入れ」を表しているものであり、商品「洗面用具入れ」の販売にあたってのイメージを考慮した営業戦略として「ポーチ」と称しているものである旨述べているが、提出の乙各号証によっては、被請求人が「ポーチ」と称して販売した商品が「洗面用具入れ」であると認めることはできないのは前述のとおりである。
（５）そうすると、乙第２号証ないし同第１１号証によっては、本件商標が「洗面用具入れ」について使用された事実を認めることはできず、他に「化粧用具」について本件商標が使用された事実を認めることのできる証拠はない。
　したがって、本件商標の登録は、請求に係る指定商品「化粧用具」について、商標法第５０条の規定により取り消すべきである。
　よって、結論のとおり審決する。